(57)【要約】      （修正有）【課題】点滴または輸血用容器の筒部の径の大小と、筒部またはチューブ針の形状の相違等による筒部と刺し入れたチューブ針との間の距離の長短に対応し得て、容器の筒部に刺し入れたチューブ針の抜出しを確実に防止するようにしたチューブ針の抜出し防止装置を新規に提供する。【解決手段】点滴または輸血用の容器３を逆吊りして閉塞栓付の筒口にチューブの基端針４ｂを刺し入れ、該チューブの先端針を患者の腕などに刺して点滴または輸血をする際に前記の閉塞栓付の筒口にばね弾発する二股の挟み具１を挟み付け、該挟み具の側面に通し筒部１ｈを設け、チューブに嵌め止めする嵌め止め体２に止棒２ｄを上向きに設けて該止棒を前記通し筒部に下から通して両者に設ける止歯２ｅの噛合止めにてチューブの基端針の抜出しを防止するようにしたことを特徴とする点滴および輸血時のチューブ針４の抜出し防止装置にある。【選択図】 図１
0003118722.tif 000002
【実用新案登録請求の範囲】
【請求項１】
点滴または輸血用の容器を逆吊りして閉塞栓付の筒口にチューブの基端針を刺し入れ、該チューブの先端針を患者の腕などに刺して点滴または輸血をする際に前記の閉塞栓付の筒口にばね弾発する二股の挟み具を挟み付け、該挟み具の側面に通し筒部を設け、チューブに嵌め止めする嵌め止め体に止棒を上向きに設けて該止棒を前記通し筒部に下から通して両者に設ける止歯の噛合止めにてチューブの基端針の抜出しを防止するようにしたことを特徴とする点滴および輸血時のチューブ針の抜出し防止装置。
【請求項２】
チューブに嵌め止めする嵌め止め体は、閉塞栓付の筒口の近くであれば任意に離れた位置にて噛合止め固定することができる請求項１に記載のチューブ針の抜出し防止装置。
【考案の詳細な説明】
【技術分野】
【０００１】
この考案は点滴および輸血時のチューブ針の抜出し防止装置、詳しくは逆吊りした点滴または輸血用の容器の筒部に刺し入れたチューブの基端針が不意に抜出しする事故を防止するようにした抜出し防止装置に関するものである。
【背景技術】
【０００２】
この種の従来技術としては、点滴等の容器の筒口に側面から差し込み掛止する容器用の係止部と、該係止部と一体にてなるチューブ針用の係止部を間隔を置いた２段にて設けたチューブ針の抜出し防止装置の提案がある（例えば、特許文献１参照）。
【特許文献１】特開２００５−３４３９６５号公報
【考案の開示】
【考案が解決しようとする課題】
【０００３】
しかしながら、該提案の容器用の係止部は平面視Ｕ字状にて形成した係止孔を容器の筒口に側方から嵌合する要領であって、係止孔の口径は固定であるため、図５に示すような様々な形状の容器において、容器の筒部の口径が大きい場合は入らず、小さいときはガタガタして取付けることができないという課題がある。また２段において設けたチューブ針用の係止部は容器用の係止部からの間隔が２段階それぞれに固定距離であるため、前記容器用の係止部と容器の筒部に刺し入れたチューブ針との間隔が固定の２つの距離以外のときには嵌められないか、嵌めても隙間が生じて抜出し防止をするができないという課題がある。
【課題を解決するための手段】
【０００４】
本考案は、点滴または輸血用の容器を逆吊りして閉塞栓付の筒口にチューブの基端針を刺し入れ、該チューブの先端針を患者の腕などに刺して点滴または輸血をする際に前記の閉塞栓付の筒口にばね弾発する二股の挟み具を挟み付け、該挟み具の側面に通し筒部を設け、チューブに嵌め止めする嵌め止め体に止棒を上向きに設けて該止棒を前記通し筒部に下から通して両者に設ける止歯の噛合止めにてチューブの基端針の抜出しを防止するようにして、かかる課題を解決したのである。
【考案の効果】
【０００５】
本考案は、ばね弾発する二股の挟み具によって、太細の口径のある様々な容器の筒部に対応して容易且つ確実に挟み取付けすることができるという効果を生ずる。
【０００６】
挟み具の側面に通し筒部を設け、チューブに嵌め止めする嵌め止め体に止棒を上向きに設けて該止棒を通し筒部に下から通して両者に設ける止歯の噛合にて嵌め止め体を任意に離れた位置にて噛合止め固定することができるようにしたので、容器またはチューブ針の種類によって筒部と刺し入れチューブ針間の距離が大小するときも挟み具とチューブ針を支持する嵌め止め体間の距離を自在に調整することができて、筒部に刺し入れたチューブ針をしっかりと固定支持して不意の抜出しを確実に防止することができるという効果を生ずる。
【考案を実施するための最良の形態】
【０００７】
本考案は、点滴または輸血用の容器を逆吊りして閉塞栓付の筒口にチューブの基端針を刺し入れ、該チューブの先端針を患者の腕などに刺して点滴または輸血をする際に前記の閉塞栓付の筒口にばね弾発する二股の挟み具を挟み付け、該挟み具の側面に通し筒部を設け、チューブに嵌め止めする嵌め止め体に止棒を上向きに設けて該止棒を前記通し筒部に下から通して両者に設ける止歯の噛合にて任意の位置で噛合止め固定して、筒部に刺し入れたチューブ針の抜出しを防止するようにしたのである。
【実施例１】
【０００８】
図１乃至図３は本考案の抜出し防止装置の１実施例を示すもので、逆吊りした点滴または輸血用容器の筒部に取付ける挟み具１は、中間を側方に弯曲させた帯板状の２つの挟み部１ａ，１ｂを一端で開閉自在に軸止１ｃして、軸止１ｃ部を挟んだ他側に挟み部１ａ，１ｂの延長にてなる開き操作用の摘み片１ｄ、１ｅを設けている。１ｆは挟み部１ａ，１ｂ間をばね弾発により閉じ付勢するリングばねである。挟み部１ａの外側面に縦穴形をして内面に止歯１ｇを有する通し筒部１ｈを設けている。
【０００９】
点滴，輸血用のチューブ針を支持する嵌め止め体２は、四角板状の本体２ａの中央部にチューブ針を支持するためのチューブと同径の支持孔２ｂと、該支持孔２ｂに連なり支持孔２ｂより幅狭にて本体２の一側に開口する通し溝２ｃを設け、本体２ａの他側側面に上向きに１０ｃｍ程度の長さを有する止棒２ｄを設けている。止棒２ｄの外面の全長に挟み具１の通し筒部１ｈの下から上の一方に通過して戻り抜けを防止するラチェット式の止歯２ｅを設け、止歯１ｇとの噛合掛止によって止棒２ｄの任意の位置で掛止固定ができるようにしている。
【００１０】
逆吊りした点滴または輸血用の容器３の筒部３ａに、挟み具１の摘み片１ｄ，１ｅの開き操作により挟み部１ａ，１ｂを開いて挟み止め固定する。挟み部１ａ，１ｂはリングばね１ｄの付勢により筒部３ａの径に合わせてしっかり閉じて固定するので、図５に示すように様々な種類の点滴または輸血用の容器３において筒部３ａの径が太いものにも細いものにも確実にフィットして安定して取付けることができる。
【００１１】
点滴または輸血用のチューブ針４はチューブ４ａの一端に容器３の閉塞栓３ｂ付の筒部３ａに刺し入れる基端針４ｂが固定取付けされている。図２に示すように該チューブ針４の端部から少し離れたやわらかい部分を潰し変形して嵌め止め体２の狭い通し溝２ｃを通して支持孔２ｂ内に至らせると、支持孔２ｂ内にてチューブはすぐに元形に復帰する。基端針４ｂの段拡部４ｃが支持孔２ｂの上縁に当るまでチューブ４ａを引き下げると、チューブ４ａ端の内側には基端針４ｂの挿入取付部４ｄがあるためチューブ４ａは潰れ変形することがないから抜出するおそれなく確実に嵌め止めされることとなる。
【００１２】
閉塞栓３ｂを貫通して容器３内の点滴液等が針穴を通じてチューブ４ａに滴下する位置まで基端針４ｂを刺し入れ、嵌め止め体２の止棒２ｄを挟み具１の通し筒部１ｈに下から通すのである。止歯２ｅと止歯１ｇの噛合掛止によって筒部３ａに取付けた挟み具１とチューブ針４を支持する本体２ａ間を基端針４ｂを刺し入れた位置にて固定するので、チューブ針４の重さ，患者の動き，人や物への引っかかりなどによりチューブ針４に抜出し方向の力が加わっても基端針４は刺し入れた状態を維持して不意に抜出しする事故を確実に防止することとなる。なお基端針４ｂを刺し入れておいてから嵌め止め体２を嵌め止め固定するようにしてもよい。
【００１３】
挟み具１と嵌め止め体２間は、通し筒部１ｈと止棒２ｄの止歯１ｇ，２ｅの噛合により任意の位置で固定することができることによって、図３に示すように、チューブ針４を刺し入れた状態の挟み具１と嵌め止め体２間の距離が長短してもそれに合わせてぴったり固定することができるのである。
【実施例２】
【００１４】
図４は嵌め止め体２の他の形成例を示すもので、チューブ４ａを潰して通す通し溝を設けるかわりに、本体２ａを支持孔２ｂごと２分割開閉するようにし、掛止爪２ｆと掛止片２ｇにて掛脱するようにしたほかは前例と同じである。
【産業上の利用可能性】
【００１５】
本考案は以上のようにして、点滴，輸血用の容器とチューブ針間の抜出しを防止する装置として、様々な種類の容器，チューブ針の形状に対応して広く利用することができるものである。
【図面の簡単な説明】
【００１６】
【図１】本考案の抜出し防止装置を挟み具と嵌め止め体別に示す斜視図
【図２】挟み具を逆吊りした容器の筒部に挟み止め、チューブ針を嵌め止め体に嵌め止め支持した状態にて示す側面図
【図３】止棒を通し筒部に挿し止めした固定した状態を、挟み具と嵌め止め体間の距離の異なる２例で示す背面図
【図４】嵌め止め体の他の形成例を示す斜視図
【図５】点滴または輸血用容器とチューブ針の形状の数例を示す正面図
【符号の説明】
【００１７】
１は挟み具
１ａ，１ｂは挟み部
１ｃは止軸
１ｄ，１ｅは摘み片
１ｆはリングばね
１ｇは止歯
１ｈは通し筒部
２は嵌め止め体
２ａは本体
２ｂは支持孔
２ｃは通し溝
２ｄは止棒
２ｅは止歯
２ｆは掛止爪
２ｇは掛止片
３は点滴または輸血用の容器
３ａは筒部
３ｂは閉塞栓
４はチューブ針
４ａはチューブ
４ｂは基端針
４ｃは段拡部
４ｄは挿入取付部
【図１】
0003118722.tif 000003
【図２】
0003118722.tif 000004
【図３】
0003118722.tif 000005
【図４】
0003118722.tif 000006
【図５】
0003118722.tif 000007